(57)【要約】【課題】協賛者および／または商品や広告物ごとにそれぞれ、宣伝や販売促進等に効果的な福引サービスを実施させることができるとともに、その実施に伴って発生する仕分けや当り確認、真偽判定等の複雑かつ膨大な作業を正確かつ効率的に自動処理させることを可能にする。【解決手段】売主や広告主が商品や広告物等に福引サービスの付加価値を与えるために添着して使用する汎用福引くじシール１０であって、抽選番号等の福引所要事項１５を表記するとともに、抽選番号等の電子情報が非接触読取可能に記録されたマイクロ回路チップ２０を埋め込む。【選択図】  図１
2005321435.tif 000002
【特許請求の範囲】
【請求項１】
売主や広告主が商品や広告物等に福引サービスの付加価値を与えるために添着して使用する汎用福引くじシールであって、
抽選番号等の福引所要事項が表記されるとともに、抽選番号等の電子情報が非接触読取可能に記録されたマイクロ回路チップが埋め込まれたことを特徴とする携帯電話用汎用福引くじシール。
【請求項２】
前記福引所要事項としてバーコードなどの光学読取用コードパターンが表記されていることを特徴とする請求項１に記載の携帯電話用汎用福引くじシール。
【請求項３】
前記福引所要事項が表記されたシール本体が積層構造を有するとともに、その層間に前記マイクロ回路チップが挟持されていることを特徴とする請求項１または２に記載の携帯電話用汎用福引くじシール。
【請求項４】
前記マイクロ回路チップとして、特定の読出動作に対して特定の隠し記録情報を出力する暗証機能を内蔵したマイクロ回路チップを用いたことを特徴とする請求項１または２に記載の携帯電話用汎用福引くじシール。
【発明の詳細な説明】
【技術分野】
【０００１】
この発明は、売主や広告主が商品や広告物等に福引サービスの付加価値を与えるために添着して使用する汎用福引くじシールであって、とくに、携帯電話（携帯電話機）の利用者向けに使用して有効にものに関する。
【背景技術】
【０００２】
宣伝や販売促進等のために広告物や商品等に福引サービスを付加させることはよく行われる。たとえば、催物や特売の案内、新製品の紹介などをチラシやダイレクトメールなどで行う場合、その案内や紹介を印象付けるために、景品や賞金等の特典が当たる福引の抽選番号を付けることがある。福引の抽選番号が付いたダイレクトメール等は、その福引の当選発表日あるいは特典引替日まで保存される確率が高いので広告効果が高い。有料頒布される商品においても、その商品に福引の抽選番号を付加することで販売促進効果を期待することができる。
【０００３】
このように、福引サービスは、宣伝や販売促進等に使用して有効な手段であるが、これを広告主や売主が直接主催するのは困難な場合が多い。福引のサービスを主催するには、抽選番号の発行、抽選結果の発表、景品等の特典引替えなど、種々の面倒かつ煩雑な業務が必要となる。
【０００４】
宣伝や販売促進等に効果のある福引サービスを実施するためには、それなりの専門性が要求される。福引サービスは、たとえば景品等の特典の質や量を整えた方が効果的であるが、そのためには、ある程度以上の規模で福引を主催する必要がある。売主や広告主が福引を個別に主催しても、規模的に有効な福引サービスを実施することは難しい。
【０００５】
そこで、その福引サービスの主催を専業化し、この専業主催者が発行する福引くじシールを売主や広告主に有償提供する方式、いわゆる協賛方式の福引サービスが一部で行われている（たとえば、特許文献１参照）。つまり、福引主催者が、抽選番号等の所要事項（福引所要事項）が表記された福引くじシールを協賛者（スポンサー）を募って発行する。協賛者は、福引サービス事業者が発行する福引くじシールを自らの商品や広告物等に添着する。これにより、協賛者は、面倒かつ煩雑な業務を負担することなく、福引による宣伝や販売促進等の効果を期待できる。一方、福引主催者は、多数の協賛者を募ることにより規模的なメリットが得られるとともに、その規模のメリットを活かして宣伝や販売促進等に効果的な福引サービスを比較的低コストで提供することができる。
【特許文献１】公開実用  昭和６１−１６５５６９
【発明の開示】
【発明が解決しようとする課題】
【０００６】
近年、携帯電話（携帯電話機）とくにカメラ付携帯電話の普及により、その携帯電話の利用者層を対象とする宣伝や販売促進の重要性が高まってきた。このため、上記福引サービス事業についても、携帯電話利用者層をターゲットにする必要が生じてきた。携帯電話利用者層を対象とする福引サービスについては、たとえば携帯電話でアクセスされるインターネット上のウェブサイトにおいて、福引の抽選応募ができるホームページを開設しているところがある。いわゆる、福引サイトが開設されている。
【０００７】
上記福引サービスを携帯電話利用者向けに行う場合、上記福引くじシールに特定の福引サイトへのアクセス案内たとえばＵＲＬなどを表記すればよい。携帯電話利用者は、その福引くじシールに表記された福引サイトへアクセスすることにより、抽選番号等の所要事項をテンキーやカーソルキーの操作で送信して抽選応募手続きを行うことができる。
【０００８】
抽選結果の発表もその福引サイトまたはそこにリンクされたサイト上にて行うようにすれば、応募者は携帯電話を使って当り／外れを確認できる。当選者の携帯電話へ当選通知メールを自動発信するサービスも可能である。また、落選者にも、たとえばポイント加算や再抽選の機会を設定することにより、宣伝や販売促進の効果を持続させることが可能である。
【０００９】
しかしながら、たとえばチラシやダイレクトメールによる宣伝効果を高めるためには、そのチラシやダイレクトメールに添着された福引くじシールの現物引渡しを景品等の特典引替え条件とする必要がある。こうすることにより、その福引シールが添着されたチラシやダイレクトメールが保存されて、宣伝効果の持続を期待できるからである。商品についても同様である。
【００１０】
ところが、福引くじシールの現物引渡しを特典引替え条件とした場合、福引主催者のところには、協賛者および／または商品や広告物等の内容ごとに異なる、多種多様の福引くじシールが大量に送られてくる。その中には、抽選応募者の錯誤による外れくじのシールも少なからぬ確率で混入している。また、期限切れ等で無効になったもの、偽造あるいは変造された偽物の混入も当然予想される。
【００１１】
このため、福引主催者では、大量の福引くじシールを、協賛者、商品や広告の内容、景品等の特典内訳などの多種多様な分類基準にしたがって仕分ける作業が発生する。当りの確認、外れや無効シールの選別除去、シールの真偽判定などの作業も当然必要である。真正の当選者には、福引の種類や当選内容に応じた特典を間違い無く提供しなければならず、そのために当選者名簿や宛名ラベルの作成業務も発生する。
【００１２】
このように、福引主催者には非常に複雑かつ膨大な作業負担が発生する。そして、このことが、上記福引くじシールを携帯電話利用者向けの福引システムに適用する上で大きな阻害要因になることが、本発明者らによりあきらかとされた。
【００１３】
本発明は以上のような問題を鑑みてなされたものであって、その目的とするところは、協賛者および／または商品や広告物ごとにそれぞれ、宣伝や販売促進等に効果的な福引サービスを実施させることができるとともに、その実施に伴って発生する仕分けや当り確認、真偽判定等の複雑かつ膨大な作業を正確かつ効率的に自動処理させることを可能にした携帯電話用汎用福引くじシールを提供することにある。
【課題を解決するための手段】
【００１４】
本発明による解決手段は、売主や広告主が商品や広告物等に福引サービスの付加価値を与えるために添着して使用する汎用福引くじシールであって、抽選番号等の福引所要事項が表記されるとともに、抽選番号等の電子情報が非接触読取可能に記録されたマイクロ回路チップが埋め込まれたことを特徴とする。
【００１５】
上記手段においては、次のような手段を備えることがとくに効果的である。  
前記福引所要事項として、バーコードなどの光学読取用コードパターンが表記されている。  
前記福引所要事項が表記されたシール本体が積層構造を有するとともに、その層間に前記マイクロ回路チップが挟持されている。  
前記マイクロ回路チップとして、特定の読出動作に対して特定の隠し記録情報を出力する暗証機能を内蔵したマイクロ回路チップを用いる。
【発明の効果】
【００１６】
協賛者および／または商品や広告物ごとにそれぞれ、宣伝や販売促進等に効果的な福引サービスを実施させることができるとともに、その実施に伴って発生する仕分けや当り確認、真偽判定等の複雑かつ膨大な作業を正確かつ効率的に自動処理させることができる。
【発明を実施するための最良の形態】
【００１７】
図１は、本発明による携帯電話用汎用福引くじシールの一実施形態を示す。同図において、（ａ）は平面図、（ｂ）は（ａ）のＡ−Ａ部分断面図、（ｃ）は（ｂ）の断面図を厚み強調した断面図である。
【００１８】
同図に示す携帯電話用汎用福引くじシール１０は、売主や広告主である協賛者が商品や広告物等の頒布品に福引サービスの付加価値を与えるために添着して使用するものであって、抽選番号等の福引所要事項１５が表記されるとともに、抽選番号等の電子情報が非接触読取可能に記録されたマイクロ回路チップ２０が埋め込まれている。この場合、福引所要事項１５には、インターネット上の特定の福引サイトのＵＲＬ１５ａも含まれている。また、抽選キャンペーンの実施期間、抽選結果発表の日時や方法、景品等の得点引替え時期や方法、当り権利有効期間なども必要に応じて表記される。
【００１９】
上記福引くじシール１０の本体は全体が可撓性のシール片であって、印刷層１１とシート基材層１２の積層構造を有する。その層１１，１２の間にマイクロ回路チップ２０が挟持状態で埋め込まれている。印刷面と反対側の裏面には、貼付添着のための粘着層１３が塗布されるとともに、この粘着層１３を添着時まで保護する剥離シート１４が仮貼付されている。
【００２０】
ここで使用されるマイクロ回路チップ２０は、商品タグやペット等のＩＤ（識別）に使用されているものと同類の極小ＩＣチップであって、ゴマ粒チップなどとも呼ばれている。大きさはゴマ粒大（１ミリ角以下）であるが、抽選番号やＩＤ（識別情報）等のデータを記録し、無線通信用のアンテナを付けて電波でデータをやりとりする通信機能を備えることは、十分に可能である。
【００２１】
無線通信を行わせるためのアンテナは、チップ２０内に組み込むことも可能であるが、シート基材層１２に印刷形成した導体パターンによるループ状または渦巻き状のアンテナ２１に接続するとよい。このようなアンテナ２１に接続されたマイクロ回路チップ２０は、そのアンテナ２１からの受信出力を動作電源にして記録内容の読み出しと無線通信を行うことができる。
【００２２】
抽選番号等の電子情報は、書換えができないワンタイム型のＲＯＭに記録させることが望ましい。さらに、要すれば、特定の読出動作に対して特定の隠し記録情報を出力する暗証機能を内蔵させることが望ましい。これにより、福引くじシール１０の真偽判定を機械処理により高精度かつ効率的に行わせることができる。
【００２３】
上記福引くじシール１０は、そこに埋め込まれているマイクロ回路チップ２に抽選番号やＩＤ等が記録されると共に、そのシール表面に抽選番号等の福引所要事項１５が印刷される。この場合、抽選番号などはシール１０ごとに異なる個別情報であって、この個別データは適宜のデータベースに蓄積・保存する。これらの業務は福引主催者が一括して行うが、そのための設備は、既存のパソコン（ハーソナルコンピュータ）および周辺機器を利用して簡単に構築することができる。
【００２４】
所要事項１５の表記および所定情報の記録が行われた福引くじシール１０は、主催者から協賛者（売主や広告主）へ有償配布される。協賛者はそれぞれ、配布された福引くじシール１０を商品や広告物等に添着するだけでよい。これにより、協賛者は、面倒かつ煩雑な業務を負担することなく、福引くじの付加価値を自らの商品や広告物に付与することができる。
【００２５】
図２は、上記福引くじシール１０が添着された商品および広告物の例を示す。同図において、（ａ）はたとえば小物景品３１の外装に上記福引くじシール１０を添着した状態を示す。（ｂ）はたとえば食品等の容器３２に上記福引くじシール１０を添着した状態を示す。（ｃ）はたとえば広告チラシなどの印刷広告物３３に上記福引くじシール１０を添着した状態を示す。（ｄ）はたとえばポイントカードなどのカード３４に上記福引くじシール１０を添着した状態を示す。このように、上記福引くじシール１０は、協賛者が宣伝や販売促進を意図する商品や広告物に自由に添着して使用することができる。
【００２６】
図３は、商品や広告物等に添着された福引くじシール１０による抽選処理業務の概要を示す。同図に示すように、福引くじシール１０が添着された商品や広告物を入手した携帯電話利用者は、その福引くじシール１０に表記されているＵＲＬの福引サイト５０にカメラ付携帯電話４１を使ってアクセスする。携帯電話４１と福引サイト５０は、携帯電話網４２とインターネット４３を介して接続される。
【００２７】
福引サイト５０には、抽選受付サーバ５１、画像認識サーバ５２、受付データベース５３、元帳データベース５４、ＩＣ読取・解析装置５５、照合処理手段５６、抽選処理サーバ５７などが置かれる。これらは１箇所に集中設置できるが、インターネット４３上に分散設置することもできる。
【００２８】
抽選受付サーバ５１は、福引サイト５０にアクセスしてきた携帯電話４１に対して、住所氏名などの個人情話とともに福引くじシール１０の撮影画像を送信させる。福引くじシール１０の画像情報は、携帯電話４１に付属のデジタルカメラで撮影して福引サイト５０へ送信すればよい。いわゆる写メールにより簡単かつ即時に行わせることができる。
【００２９】
画像認識サーバ５２は、携帯電話４１から写メールにより送られてきたシール画像中の抽選番号を画像認識により読み取る。受付データベース５３は、カメラ付携帯電話４１を使って送られてきた個人情報と抽選番号を保存する。このとき、要すれば、発信元の電話番号（携帯電話利用者の携帯電話番号）も一緒に取得する。元帳データベース５４は、福引主催者が発行した福引くじシール１０の属性情報（抽選番号やＩＤなど）を保存する。
【００３０】
ＩＣ読取・解析装置５５は、携帯電話利用者から当りくじとして郵送されてきた福引くじシール１０の属性情報を、そのシール１０に埋め込まれているマイクロ回路チップ２０から無線通信により非接触で読み取るとともに、この読み取りによりそのシール１０の真偽を判定する。この場合、福引くじシールは通常、ハガキに貼付された状態、あるいは封筒に入った状態で送られてくる。しかし、いずれの場合も、上記非接触読み取りにより、ハガキから剥がしたり、あるいは封筒から出したりすることなく、必要な情報を即座に読み取ることができる。
【００３１】
照合処理手段５６は、ＩＣ読取・解析装置５５が読み取った情報と、受付データベース５３に保存してある情報と、元帳データベース５４に保存してある情報とを照合することにより、当りくじとして送られてきたシール１０の有効性および本当に当りくじなのかなどを照合チェックする。
【００３２】
抽選処理サーバ５７は、上記判定およびチェックに基づき、シール１０ごとに、仕分け／集計／当落判定／名簿／リスト／景品の宛名ラベル作成等の抽選処理を実行する。これにより、有効な当りくじのシール１０の提出者には、その当りくじの種類や当り内容に応じた特典を円滑に提供することができる。また、景品等の特典を提供した利用者の名簿等を作成して協賛者に提供するといった付加サービスも可能である。
【００３３】
上述したように、本発明による携帯電話用汎用福引くじシール１０は、抽選番号等の福引所要事項が表記されるとともに、抽選番号等の電子情報が非接触読取可能に記録されたマイクロ回路チップ２０が埋め込まれたことにより、協賛者および／または商品や広告物ごとにそれぞれ、宣伝や販売促進等に効果的な福引サービスを実施させることができるとともに、その実施に伴って発生する仕分けや当り確認、真偽判定等の複雑かつ膨大な作業の大部分を正確かつ効率的に自動処理させことができる。
【００３４】
図４は、本発明による携帯電話用汎用福引くじシール１０の別の形態を示す。上述した実施携帯との相違に着目して説明すると、この実施形態では、  福引の抽選番号を含む所要事項１５として、バーコードなどの光学読取用コードパターン１５ｂ（または後述する１５ｃ）が表記されていることを特徴とする。
【００３５】
この実施形態では、カメラ付携帯電話でシール１０の画像を福引サイトへ写メールした際に、その画像中の光学読取用コードパターン１５ｂから抽選番号等を認識する処理を簡単かつ正確に行わせることができる。さらに、その光学読取用コードパターン１５ｂには抽選番号以外の情報も含ませることができる。これにより、抽選応募をさらに簡便に行わせることができる。携帯電話利用者はテンキー等の手入力操作手間を大幅に省くことができる。
【００３６】
上記光学読取用コードパターンは、たとえば図５に示すように、バーコード以外の光学読取用コードパターン１５ｃであってもよい。
【００３７】
また、福引くじシール１０には、図６の（ａ）と（ｂ）にそれぞれ示すように、福引サイトの電子メールアドレス１５ｅを表記し、抽選番号や光学読取用コードパターンなどの所要事項をそのメールアドレスへ直接メール送信させるようにしてもよい。
【００３８】
図７は、上述した福引くじシール１０の頒布形態を示す。本発明の携帯電話用汎用福引くじシール１０は、同図に示すように、所定枚数を大判の剥離シート１４上に仮貼付して集合させたシート状態で協賛者に提供すれば、枚数等の管理に便利である。協賛者は、福引くじシール１０を商品や広告物に１枚ずつ添着して使用するが、福引くじシール１０が上記シート状態ならば、その添着の作業を効率良く行わせることができる。
【００３９】
また、本発明の福引くじシール１０は、宣伝や販売促進等に汎用的に利用する商品として市場流通させることができるが、この場合も、上記シート状態とすることにより流通段階での扱いを行いやすくすることができる。つまり、流通商品としての適性を高めることができる。
【００４０】
以上、本発明をその代表的な実施例に基づいて説明したが、本発明は上述した以外にも種々の態様が可能である。たとえば、福引くじシール１０に表記する内容は、図示の例では省略していたが、図示例以外にも様々な形態をとることができる。
【産業上の利用可能性】
【００４１】
協賛者および／または商品や広告物ごとにそれぞれ、宣伝や販売促進等に効果的な福引サービスを実施させることができるとともに、その実施に伴って発生する仕分けや当り確認、真偽判定等の複雑かつ膨大な作業を正確かつ効率的に自動処理させることが可能になる。
【図面の簡単な説明】
【００４２】
【図１】本発明による携帯電話用汎用福引くじシールの一実施形態を示す平面図、断面図、および厚み強調断面図である。
【図２】本発明による福引くじシールが添着された商品および広告物の例を示す斜視図である。
【図３】商品や広告物に添着された福引くじシールによる抽選処理業務の概要を示す図である。
【図４】本発明による携帯電話用汎用福引くじシールの別の形態を示す平面図である。
【図５】バーコード以外の光学読取用コードパターンを表記した例を示す平面図である。
【図６】福引くじシールに電子メールアドレスを表記しした例を示す平面図である。
【図７】本発明による福引くじシールの頒布形態の一例を示す平面図である。
【符号の説明】
【００４３】
１０  携帯電話用汎用福引くじシール
１１  印刷層
１２  シート基材層
１３  粘着層
１４  剥離シート
１５  抽選番号等の福引所要事項
１５ａ  福引サイトのＵＲＬ
１５ｂ  光学読取用コードパターン（バーコード）
１５ｃ  光学読取用コードパターン（バーコード以外）
１５ｅ  福引サイトの電子メールアドレス
２０  マイクロ回路チップ
２１  アンテナ
３１〜３４  商品や広告物
４１  カメラ付携帯電話（携帯電話機）
４２  携帯電話網
４３  インターネット
５０  福引サイト
５１  抽選受付サーバ
５２  画像認識サーバ
５３  受付データベース
５４  元帳データベース
５５  ＩＣ読取・解析装置
５６  照合処理手段
５７  抽選処理サーバ
【図１】
2005321435.tif 000003
【図２】
2005321435.tif 000004
【図３】
2005321435.tif 000005
【図４】
2005321435.tif 000006
【図５】
2005321435.tif 000007
【図６】
2005321435.tif 000008
【図７】
2005321435.tif 000009